(57)【要約】【課題】眼の疲労を効果的に改善できる簡易な構成の薬剤供給具を提供する。【解決手段】人体の顔部に装着され、眼鏡形状の眼鏡部を備えた薬剤供給具であって、空気と接触することにより発熱する発熱剤を収容するシート状の第１収容部と、この第１の収容部で発生した熱が伝熱することにより液相状態から気相状態に変化する薬剤溶液を収容するシート状の第２収容部と、これら第１及び第２収容部を前記眼鏡部において保持する保持部と、を有する薬剤供給具。【選択図】図３
0003151465.tif 000002
【実用新案登録請求の範囲】
【請求項１】
人体の顔部に装着され、眼鏡形状の眼鏡部を備えた薬剤供給具であって、
空気と接触することにより発熱する発熱剤を収容するシート状の第１収容部と、
この第１の収容部で発生した熱が伝熱することにより液相状態から気相状態に変化する薬剤溶液を収容するシート状の第２収容部と、
これら第１及び第２収容部を前記眼鏡部において保持する保持部と、
を有する薬剤供給具。
【請求項２】
前記第１収容部と前記第２収容部との間に、前記第１収容部及び前記第２収容部の外装部よりも熱伝導率が高い伝熱シートを介在させたことを特徴とする請求項１に記載の薬剤供給具。
【請求項３】
前記眼鏡部には、気相状態に変化した前記薬剤を排出するための排出開口部が形成されていることを特徴とする請求項１又は２に記載の薬剤供給具。
【請求項４】
前記排出開口部を開閉する開閉部を有することを特徴とする請求項１乃至３のうちいずれか一つに記載の薬剤供給具。
【請求項５】
前記眼鏡部は、非透水性の材料で構成されていることを特徴とする請求項１乃至４のうちいずれか一つに記載の薬剤供給具。
【考案の詳細な説明】
【技術分野】
【０００１】  本考案は、眼鏡形状の薬剤供給具に関し、特に人体の眼部の疲れなどを解消する薬剤を眼部に供給可能な薬剤供給具に関するものである。
【背景技術】
【０００２】  近年、パソコンのディスプレイに向かって入力作業を行うなど眼を酷使する場面が増大している。眼の疲労を改善させる方法として、特許文献１は、化学エネルギーを利用した水蒸気発生部を有し、眼及び眼の周囲に適用される水蒸気発生体であって、水蒸気発生体表面から放出される水蒸気温度が５５℃以下に制御される眼用水蒸気発生体を開示する。
【先行技術文献】
【特許文献】
【０００３】
【特許文献１】特開２０００−５２０９号公報
【考案の概要】
【考案が解決しようとする課題】
【０００４】  しかしながら、情報化社会の進展により、今後、眼を酷使する場面がさらに増大するものと予測される。【０００５】  そこで、本願考案は、眼の疲労を効果的に改善できる簡易な構成の薬剤供給具を提供することを目的とする。
【課題を解決するための手段】
【０００６】  上記課題を解決するために、本願考案は、（１）人体の顔部に装着される眼鏡形状の眼鏡部を備えた薬剤供給具であって、空気と接触することにより発熱する発熱剤を収容するシート状の第１収容部と、この第１の収容部で発生した熱が伝熱することにより液相状態から気相状態に変化する薬剤溶液を収容するシート状の第２収容部と、これら第１及び第２収容部を前記眼鏡部において保持する保持部と、を有する。【０００７】  （２）（１）の構成において、前記第１収容部と前記第２収容部との間に、前記第１収容部及び前記第２収容部の外装部よりも熱伝導率が高い伝熱シートを介在させるのが好ましい。これにより、第１収容部から第２収容部への伝熱を速めることができる。【０００８】  （３）（１）又は（２）の構成において、前記眼鏡部には、気相状態に変化した前記薬剤を排出するための排出開口部を形成することができる。これにより、気化した薬剤が流れる気流を生成することができる。（４）（１）〜（３）の構成において、前記排出開口部を開閉する開閉部を設けることもできる。【０００９】  （５）（１）〜（４）の構成において、前記眼鏡部は、非透水性の材料で構成するのが好ましい。これにより、より確実に気化した薬剤を充満させることができる。
【考案の効果】
【００１０】  本願考案によれば、眼の疲労を簡易な構成で効果的に改善することができる。
【図面の簡単な説明】
【図１】薬剤供給具の使用状態を示している。
【図２】薬剤収容・加熱ユニットを構成する各シートの断面図である。
【図３】薬剤収容・加熱ユニットの断面構造である。
【考案を実施するための形態】
【００１１】  図１を参照して、薬剤供給具について説明する。図１は、薬剤供給具の使用状態を図示している。なお、Ｘ軸、Ｙ軸及びＺ軸は互いに直交する異なる三軸を示している。薬剤供給具１は、眼鏡形状に形成されている。なお、本明細書における眼鏡形状には、サングラス、メガネなどのように顔部に装着されることにより眼を覆う機能を有する部材は全て含まれる。
【００１２】  フロントカバー１１は、光透過性を有しており、Ｚ軸方向視において人間の眼部及びその周辺を覆うように配置されている。眼鏡ボディ１２は筒状に形成されており、Ｚ軸方向の両端部に開口部を有する。フロントカバー１１は、眼鏡ボディ１２の前記開口部のうち人体からより離間した側の開口部を覆っている。なお、フロントカバー１１は、眼鏡ボディ１２に形成された図示しないスリット内に圧入されることにより、支持されている。フロントカバー１１及び眼鏡ボディ１２が、登録請求の範囲に記載の「眼鏡部」に相当する。
【００１３】  眼鏡ボディ１２のＸ軸方向の両端面には、バンド固定部１５が形成されている。バンド固定部１５はバンド１３を固定している。バンド１３には、弾性シートを用いることができる。弾性シートには、ゴムが含まれる。薬剤供給具１の装着状態において、バンド１３は、人体の頭部の側部から後部の外面に沿って配置され、伸張している。これにより、眼鏡ボディ１２が人体の顔部に押圧され、薬剤供給具１を位置決めすることができる。眼鏡ボディ１２には、樹脂、紙を用いることができる。紙を用いることにより、薬剤供給具１を軽量化することができる。紙には止水処理を施すのが好ましい。例えば、紙をポリエチレンで挟んだ積層シートとすることにより、止水処理を行うことができる。止水処理を施すことにより、眼鏡ボディ１２内に充満した薬剤が外部に過剰に流出するのを阻止できる。また、眼鏡ボディ１２の耐久性を高めることもできる。
【００１４】  眼鏡ボディ１２のＹ軸方向の上端面には、複数の気体排出口１４が形成されている。これらの気体排出口１４は、Ｘ軸方向に並んで配列されている。ただし、気体排出口１４は一つにしてもよい。また、気体排出口１４には図示しない開閉部が設けられている。この開閉部を閉じ方向に操作すると、円盤状の部材が気体排出口１４に進入して、気体排出口１４の開口面積を減少させる。これとは反対に、開閉部を開き方向に操作すると、円盤状の部材が気体排出口１４から退避して、気体排出口１４の開口面積を増大させる。
【００１５】  眼鏡ボディ１２の内径領域には（内側には）、薬剤を収容するとともにこの薬剤を加熱する薬剤収容・加熱ユニット２０が設けられている。薬剤収容・加熱ユニット２０は、フロントカバー１１の内面に貼り付けられることにより、固定されている。
【００１６】  図３は、フロントカバー１１及び薬剤収容・加熱ユニット２０の一部をＸ−Ｚ面で切断した断面図である。また、図２（Ａ）は薬剤収容部２１をＸ−Ｚ面で切断した断面図であり、図２（Ｂ）は薬剤加熱部２２をＸ−Ｚ面で切断した断面図であり、図２（Ｃ）は伝熱シート２３をＸ−Ｚ面で切断した断面図である。これらの図を参照して、薬剤収容・加熱ユニット２０は、薬剤収容部（第２収容部）２１、薬剤加熱部（第１収容部）２２及び伝熱シート２３を含む。伝熱シート２３は、薬剤収容部２１及び薬剤収容部２２の間に介在している。
【００１７】  薬剤収容部２１は、二枚の外装シート２１Ａの外縁部分を互いに接合することにより袋状に形成されている。外装シート２１Ａには布を用いることができる。接合方法には、接着材による接着、熱溶融繊維による熱融着など公知の方法を用いることができる。薬剤収容部２１の内部には、綿体３１が収容されており、この綿体３１の内部に液状の薬剤が含浸されている。
【００１８】  薬剤には、トクサ、ハッカ、クスノキ、タンジン、ベニバナ、コウジャクシ、ムラサキナツフジ、シンキンハ、キバナオウギ、ウスバサイシン、ボウフウを混合した混合薬を用いることができる。この薬剤により、眼の疲労を効果的に解消することができる。
【００１９】  薬剤加熱部２２は、二枚の外装シート２２Ａの外縁部分を互いに接合することにより袋状に形成されている。外装シート２２Ａには布を用いることができる。接合方法には、接着材による接着、熱溶融繊維による熱融着など公知の方法を用いることができる。薬剤加熱部２２の内部には、粉末状の発熱剤４１が収容されている。この発熱剤４１は空気に触れると発熱する。発熱剤４１には、鉄粉、水、塩、活性炭、保水剤を含む混合材を用いることができる。発熱剤４１は、１００℃を超えないような材料を選定するのが好ましい。
【００２０】  薬剤加熱部２２の外面のうちフロントカバー１１と向き合う面には、図示しない粘着シートが設けられている。この粘着シートをフロントカバー１１の外面に押し当てることにより、薬剤加熱部２２をフロントカバー１１に貼着することができる。なお、フロントカバー１１が、登録請求の範囲に記載の「保持部」に相当する。
【００２１】  伝熱シート２３には、薬剤収容部２１の外装シート２１Ａ及び薬剤加熱部２２の外装シート２２Ａよりも熱伝導率の高い材料を用いることができる。具体的には、アルミを用いることができる。アルミを用いることにより、薬剤加熱部２２から薬剤収容部２１に伝熱する熱の伝熱速度を速めることができる。これにより、効率的に綿体３１に含浸された薬剤を加熱することができる。
【００２２】  次に、薬剤供給具１の使用方法について説明する。なお、使用前において、薬剤収容・加熱ユニット２０は図示しない封止袋に収容されることにより、外気から封止されているものとする。まず、ステップ１において、封止袋を開き、その内部に封止されている薬剤収容・加熱ユニット２０を取り出す。ステップ２において、薬剤加熱部２２の外面に設けられる粘着シートに貼りつけられたフィルムを剥がす。ステップ３において、この粘着シートを眼鏡ボディ１２の内径領域に移動させ、フロントカバー１１の内面に貼着する。ステップ４において、バンド１３を伸長して薬剤供給具１を使用者の顔部に装着する。
【００２３】  薬剤加熱部２２に収容された発熱剤４１は、空気に触れることにより発熱する。発熱剤４１で発生した熱は、伝熱シート２３を介して薬剤収容部２１に伝熱する。発熱剤４１がさらに発熱して、７０〜８０℃になると、薬剤収容部２１内の薬剤が液相状態から気相状態に変化して、薬剤収容部２１から気相状態に変化した薬剤が放出される。この薬剤は、眼鏡ボディ１２の内径領域内に充満し、眼部に薬剤を供給することができる。眼鏡ボディ１２の内径領域内の薬剤は、徐々に気体排出口１４から排出される。これにより、眼鏡ボディ１２の内側から外側に向かう気流が生成され、薬剤収容部２１から放出された薬剤を順次眼部に向かわせることができる。その結果、人体の眼部の疲労をより効果的に回復させることができる。また、前記開閉部を操作することにより、気体排出口１４から排気される薬剤の排気量を調節できる。これにより、使用者の好みに応じて、眼鏡ボディ１２内の温度を調節することができる。
【００２４】（他の実施形態）
上述の実施形態では、薬剤収容部２１及び薬剤加熱部２２の間に伝熱シート２３を介在させたが、本考案はこれに限られるものではなく、伝熱シート２３を省略することもできる。この場合、薬剤収容部２１及び薬剤加熱部２２を接触させ、これらの外装シート２１Ａ、２２Ａを熱伝導率の高い材料で構成するのが好ましい。これにより、より効率的に綿体３１に含浸された薬剤を加熱することができる。
【００２５】  上述の実施形態では、眼鏡の装着状態において、薬剤収容部２１を薬剤加熱部２２よりも人体の眼部に近接した領域に配置したが、本考案はこれに限られるものではなく、これとは反対の配置にしてもよい。
【００２６】  上述の実施形態では、綿体３１に薬剤を含浸させたが、本考案はこれに限られるものではなく、ペーパーなど他のシート状部材に薬剤を含浸させることもできる。
【００２７】  上述の実施形態では、薬剤加熱部２２の外面に粘着シートを設けて、これをフロントカバー１１に貼着することにより、薬剤収容・加熱ユニット２０を固定したが、本考案はこれに限られるものではない。例えば、眼鏡ボディ１２の内径領域にスリットを形成して、このスリットに薬剤収容・加熱ユニット２０を滑り込ませることにより、固定してもよい。
【符号の説明】１１  フロントカバー
１２  眼鏡ボディ
１４  気体排出口
２１  薬剤収容部
２２  薬剤加熱部
２３  伝熱シート
【図１】
0003151465.tif 000003
【図２】
0003151465.tif 000004
【図３】
0003151465.tif 000005